【事件の表示】
　特願２００３−　９２５６７「画像編集装置、画像編集方法およびプログラム」拒絶査定不服審判事件〔平成１６年１０月２８日出願公開、特開２００４−３０４３４３〕について、次のとおり審決する。
【結　論】
　本件審判の請求は、成り立たない。
【理　由】
【第１】手続の経緯
　本願は、平成１５年３月２８日の出願であって、手続の概要は以下のとおりである。
　
　拒絶理由通知　　　　　　　　　　：平成２０年　２月　５日（起案日）
　手続補正　　　　　　　　　　　　：平成２０年　４月１１日
　拒絶査定　　　　　　　　　　　　：平成２０年　４月３０日（起案日）
　拒絶査定不服審判請求　　　　　　：平成２０年　６月１１日
　拒絶理由通知（当審）　　　　　　：平成２２年　９月１５日（起案日）
　手続補正　　　　　　　　　　　　：平成２２年１１月１８日
　
【第２】本願発明
　本願の請求項１に係る発明（以下、「本願発明」という。）は、平成２２年１１月１８日付けの手続補正書により補正された特許請求の範囲の請求項１に記載された事項により特定される、以下のとおりのものである。
　
［請求項１］
　所定の解像度の画像を示す主データと、この主データよりも低い解像度の前記画像を示す副データとを有する画像データを編集するための画像編集装置であって、
　複数の前記画像データの前記副データに基づいて、複数の画像を表示するインデックス画面を表示し、
　前記インデックス画面に表示された前記複数の画像のいずれかが選択された場合、選択された前記画像に対応する前記画像データが編集可能になり、
　前記画像データが編集された場合、編集された前記画像データの前記主データよりも解像度の低い修正データを、編集された前記画像データの前記主データを用いて作成し、
　前記画像データが編集された後に前記インデックス画面を表示する際に、編集されていない前記画像データについては前記副データに基づいて前記画像を表示し、編集された前記画像データについては前記修正データに基づいて前記画像を表示する
ことを特徴とする画像編集装置であって、
　前記画像データは、前記画像に関する付属データを更に有し、
　前記画像データの編集は、前記付属データを編集することによって行われることを特徴とする画像編集装置。
　
【第３】刊行物の記載
　当審における拒絶の理由の通知において引用された特開２００１−３３３３７２号公報（平成１３年１１月１２日出願公開。以下、「刊行物１」という。）には、図面と共に以下の事項が記載されている。
　
【０００１】
【技術分野】この発明は，与えられる画像データによって表される複数の画像の複数の縮小画像を表示装置の表示画面に一覧表示させる縮小画像表示制御装置および方法に関する。
【０００２】
【発明の背景】ディジタル・スチル・カメラなどを用いて被写体を撮像すると，複数駒の被写体像を表す主画像データがメモリ・カードに記録される。メモリ・カードに記録されている複数駒分の主画像データがパーソナル・コンピュータなどに読み取られると，パーソナル・コンピュータに接続されている表示装置の表示画面に複数駒分の主画像データによって表される主画像の縮小画像が一覧表示される。
【０００３】一覧表示された縮小画像は，撮像によって得られた主画像データによって表される主画像を縮小したものであるから色の具合，アングルなどは対応する主画像と同じである。このため，露光アンダー，露光オーバなどの状態で撮像された場合には，暗い縮小画像，明るい縮小画像などが表示される。
　
【０００８】さらに，縮小画像を一覧表示しておき，縮小画像に一覧表示されている縮小画像に対応する主画像を補正した場合，補正した主画像に対応する縮小画像は，元の主画像が補正されたにもかかわらず，補正前の主画像に対応する縮小画像が表示されることがある。
　
【００２９】第３の発明は，与えられる主画像データによって表される複数の主画像の複数の縮小画像を一駒ずつ順に表示装置の表示画面に一覧表示させる縮小画像表示制御装置において，縮小画像を指定する指定手段，上記複数の縮小画像の表示中に，上記複数の縮小画像の中の一の縮小画像が上記指定手段によって指定されたことに応じて，指定された縮小画像に対応する主画像を上記表示画面に表示するように表示装置を制御する表示制御手段，および上記表示制御手段によって表示画面に表示された上記主画像を表す主画像データについて補正する補正手段を備えていることを特徴とする。
【００３０】第３の発明は，上記装置に適した方法も提供している。すなわち，この方法は，与えられる主画像データによって表される複数の主画像の複数の縮小画像を一駒ずつ順に表示装置の表示画面に一覧表示させる縮小画像表示制御装置において，上記複数の縮小画像の表示中に，上記複数の縮小画像の中の一の縮小画像が指定されたことに応じて，指定された縮小画像に対応する主画像を上記表示装置の上記表示画面に表示し，表示画面に表示された上記主画像を表す主画像データについて補正するものである。
【００３１】第３の発明によると，上記縮小画像は，一駒ずつ順に表示される。縮小画像の表示中に，縮小画像が指定されると，その指定された縮小画像に対応する主画像が上記表示画面に表示される。表示された主画像について補正操作が行われ，その主画像を表す主画像データについて補正処理が行われる。
　
【００３７】
【実施例の説明】図１は，この発明の実施例による画像出力システムの概要を示している。
　
【００５０】図３は，サムネイル画像（縮小画像）をモニタ表示装置５の表示画面上に表示する画像出力受付装置１の処理手順を示すフローチャートである。図４は，モニタ表示装置５の表示画面上に表示されるサムネイル一覧画像の一例である。
【００５１】画像出力受付装置１のメモリ・カード・リーダ９に画像ファイルが格納されているメモリ・カードが装填される。メモリ・カード・リーダ９によって，装填されたメモリ・カード９に格納されている画像ファイルが読み取られ，コンピュータ２に与えられる。
【００５２】コンピュータ２において，与えられた画像ファイルが解析される（ステップ41）。解析された結果，画像ファイルの中に主画像（撮像等によって得られた原画像をいう）を表す主画像データのほかにサムネイル画像データが含まれているかどうかがチェックされる（ステップ42）。
【００５３】サムネイル画像データが含まれていると（ステップ42でＹＥＳ），そのサムネイル画像データが画像ファイルから読み出される（ステップ43）。
　
【００７８】図５は，特定の画像についてユーザの所望の補正を行うときのコンピュータ２の処理手順を示すフローチャートである。図６から図９は，モニタ表示装置５の表示画面に表示される画像の一例を示している。
【００７９】サムネイル一覧画像がモニタ表示装置５の表示画面に表示されている状態において，補正すべき主画像に対応するサムネイル画像上がユーザによってタッチされる（ステップ61）。
【００８０】タッチされたサムネイル画像の下の領域に「ズーム／明るさ」ボタン84および「枚数設定」ボタン80が現れる。「枚数設定」ボタン80には，マイナス・ボタン81およびプラス・ボタン83が含まれている。マイナス・ボタン81がタッチされることにより，枚数表示領域82に表示されているプリント枚数がデクレメントされる。プラス・ボタン83がタッチされることにより，枚数表示領域82に表示されているプリント枚数がインクレメントされる。
【００８１】「ズーム／明るさ」ボタン84がタッチされることにより，モニタ表示装置５の表示画面上に図７に示すようなズーム／明るさ補正画像が表示される（ステップ62）。ズーム／明るさ補正画像は，タッチされたサムネイル画像に対応する主画像のズーム量および明るさ補正を調整するためものである。次の各領域が含まれている。
【００８２】ヘルプ領域91：操作のアドバイスを表示するときにタッチされる領域である。
【００８３】拡大指定領域92：主画像を拡大するときにタッチされる領域である。
【００８４】縮小指定領域93：主画像を縮小するときにタッチされる領域である。
【００８５】左回転領域95：主画像を反時計方向に90度回転させるときにタッチされる領域である。
【００８６】右回転領域96：主画像を時計方向に90度回転させるときにタッチされる領域である。
【００８７】上矢印領域97：主画像を上方向に移動させるときにタッチされる領域である。
【００８８】右矢印領域98：主画像を右方向に移動させるときにタッチされる領域である。
【００８９】下矢印領域99：主画像を下方向に移動させるときにタッチされる領域である。
【００９０】左矢印領域100：主画像を左方向に移動させるときにタッチされる領域である。
【００９１】明るく領域101：主画像を明るくするときにタッチされる領域である。
【００９２】暗く領域102：主画像を暗くするときにタッチされる領域である。
【００９３】最初へ領域103：所定の初期画像に戻るときにタッチされる領域である。
【００９４】キャンセル領域104：キャンセルするときにタッチされる領域である。
【００９５】決定領域105：ズーム量および明るさ量等が決定したときにタッチされる領域である。
【００９６】主画像表示領域106：タッチされたサムネイル画像に対応する主画像を表示する領域である。主画像表示領域106の大きさよりも大きい主画像の場合は，その主画像が縮小される領域106に表示される。
【００９７】ユーザは，ズーム／明るさ補正画像の各領域をタッチすることにより補正指令を画像出力受付装置１に与える（ステップ63）。補正指令が画像出力受付装置１に与えられると，その指令に応じた補正処理が主画像データについて行われる（ステップ64）。補正された主画像データによって表される主画像がズーム／明るさ補正画像の主画像表示領域106に表示される。
【００９８】たとえば，暗く領域102がタッチされると，そのタッチ時間に応じたレベルだけ輝度レベルが暗くなるように主画像を表す主画像データが補正される。暗くされた主画像が主画像表示領域106に表示されることとなる（図８参照，図８においては，主画像が暗くなった様子がハッチングで示されている）。
【００９９】決定領域105がタッチされると，ズーム／明るさ補正画像に変わって，図９に示すサムネイル一覧画像がモニタ表示装置５の表示画面上に表示される。補正された主画像に対応するサムネイル画像（駒番号No.1）も補正された主画像に対応して，補正後のサムネイル画像が表示される。補正後のサムネイル画像を表すサムネイル画像データは，補正後の主画像を表す主画像データから生成してもよいし，サムネイル画像データに主画像と同じ補正処理を行うことにより生成してもよい。
【０１００】さらに，補正された主画像に対応するサムネイル画像の下には，補正された内容を示す（補正されたことも示す）補正内容マーク85が表示されている。この場合であれば，明るさが補正されたのであるから「明るさ補正済」とのマーク85が表示されることとなる。補正内容に応じた内容を示すマーク85が表示されることとなる。たとえば，拡大，縮小，位置調整，回転などトリミング処理が行われた場合には，トリミング補正されたことを示すマークが表示される。ズーム量および明るさ調整以外の補正が行われる場合には，その補正に応じたマークが表示される。たとえば，色補正，濃度補正，シャープネス補正などが可能であれば，それらの補正に応じたマーク85が表示されることとなる。
【０１０１】主画像が補正された場合には，主画像と同じように対応するサムネイル画像を補正して表示するので，どのように補正されたかを確認することが比較的容易となる。また，補正内容を示すマーク85が補正された主画像に対応するサムネイル画像の下に表示されるので，補正したことおよびその補正内容を忘れてしまうのを未然に防止することができる。
　
【第４】刊行物に記載された発明
　以上の記載によれば、刊行物１には、次の発明が記載されている。
　
１．縮小画像表示制御装置について
　【０００１】ないし【０００３】の記載によれば、刊行物１に記載された発明は、複数の縮小画像を表示装置の表示画面に一覧表示させる縮小画像表示制御装置に関する発明であり、ディジタル・スチル・カメラなどを用いて被写体を撮像した被写体像を表す画像データを「主画像データ」と、撮像によって得られた主画像データによって表される主画像を縮小したものを「縮小画像」と称している。また、【００５０】には「サムネイル画像（縮小画像）」と記載されているから、サムネイル画像と縮小画像とは単に表現が異なるだけであることが理解できるから、刊行物１の記載をそのまま引用する場合を除き、以下、サムネイル画像及び縮小画像を「縮小画像」という。
　以上まとめると、刊行物１には、被写体を撮像した被写体像を表す主画像データによって表される主画像を縮小した縮小画像を表示装置の表示画面に一覧表示させる縮小画像表示制御装置に関する発明が記載されている。
　
２．主画像と縮小画像の補正について
２ａ．主画像の補正について
　【００２９】の記載によれば、「縮小画像表示制御装置において・・・主画像を表す主画像データについて補正する補正手段を備えている」とあるから、縮小画像表示制御装置は、主画像データを補正する画像補正装置でもある。
２ｂ．縮小画像の補正について
　【０１０１】の記載によれば「主画像が補正された場合には，主画像と同じように対応するサムネイル画像を補正して表示する」とあるので、縮小画像表示制御装置は縮小画像を補正して表示するものであり、上記補正した縮小画像を表示するには縮小画像データを補正していることは明らかである。
　したがって、縮小画像表示制御装置は、縮小画像データを補正する画像補正装置でもあるということができる。
２ｃ．画像ファイルについて
　また、【００５２】には「画像ファイルの中に主画像（撮像等によって得られた原画像をいう）を表す主画像データのほかにサムネイル画像データが含まれているかどうかがチェックされる」と記載されているから、刊行物１の「画像ファイル」は、「主画像データ」と「縮小画像データ」を含むものである。
２ｄ．まとめ
　以上２ａないし２ｃについてまとめると、刊行物１の縮小画像表示制御装置は、画像ファイルに含まれる「主画像データ」と「縮小画像データ」とを補正する画像補正装置でもあるといえる。
　
３．縮小画像の表示について
　図３、【００５２】ないし【００５８】の記載によれば、刊行物１の縮小画像表示制御装置は、「画像ファイルの中に主画像（撮像等によって得られた原画像をいう）を表す主画像データのほかにサムネイル画像データが含まれているかどうかがチェックされ（ステップ42）」、「サムネイル画像データが含まれていると（ステップ42でＹＥＳ）」、「そのサムネイル画像データが画像ファイルから読み出され（ステップ43）」、「（不要データの除去（ステップ44）およびサムネイル画像データの補正処理（ステップ45）が行われ）」、「補正されたサムネイル画像データによって表されるサムネイル画像が図４に示すようにモニタ表示装置５に表示される（ステップ50）」ものであり、図４には、「サムネイル一覧画像」として、ＮＯ．１ないしＮＯ．８の複数の画像が一覧で表示された表示の態様が記載されている。
　以上のことから、刊行物１の縮小画像表示制御装置は、画像ファイルの中の縮小画像データを補正して得た縮小画像データを用いて、複数の縮小画像をモニタ表示装置に一覧で表示しているといえる。
　
４．縮小画像の選択について
　刊行物１の【００７８】ないし【００８１】、【００９７】の記載を見ると、「図５は，特定の画像についてユーザの所望の補正を行うときのコンピュータ２の処理手順を示すフローチャートである。図６から図９は，モニタ表示装置５の表示画面に表示される画像の一例を示している。」とあり、「サムネイル一覧画像がモニタ表示装置５の表示画面に表示されている状態において，補正すべき主画像に対応するサムネイル画像上がユーザによってタッチされる（ステップ61）」、「タッチされたサムネイル画像の下の領域に「ズーム／明るさ」ボタン84および「枚数設定」ボタン80が現れ」、「「ズーム／明るさ」ボタン84がタッチされることにより，モニタ表示装置５の表示画面上に図７に示すようなズーム／明るさ補正画像が表示される（ステップ62）。ズーム／明るさ補正画像は，タッチされたサムネイル画像に対応する主画像のズーム量および明るさ補正を調整するためものである。」、「ユーザは，ズーム／明るさ補正画像の各領域をタッチすることにより補正指令を画像出力受付装置１に与える（ステップ63）。補正指令が画像出力受付装置１に与えられると，その指令に応じた補正処理が主画像データについて行われる（ステップ64）。」と記載されている。
　以上のことから見て、刊行物１の縮小画像表示制御装置は、縮小画像が一覧で表示された状態で、補正すべき主画像に対応する縮小画像上をユーザがタッチすると、「ズーム／明るさ」ボタンが現れ、「ズーム／明るさ」ボタン84がタッチされることにより、タッチされた縮小画像に対応する主画像のズーム量および明るさ補正を調整するためのズーム／明るさ補正画像が表示され、ユーザがズーム／明るさ補正画像の各領域をタッチすることにより補正指令を与え、その指令に応じた補正処理が主画像データについて行われるものである。
　
５．縮小画像データの補正について
　刊行物１の【００９９】には「決定領域105がタッチされると，ズーム／明るさ補正画像に変わって，図９に示すサムネイル一覧画像がモニタ表示装置５の表示画面上に表示される。補正された主画像に対応するサムネイル画像（駒番号No.1）も補正された主画像に対応して，補正後のサムネイル画像が表示される。補正後のサムネイル画像を表すサムネイル画像データは，補正後の主画像を表す主画像データから生成してもよい」と記載されている。
　すなわち、刊行物１の縮小画像表示制御装置は、補正された主画像に対応して、補正後の縮小画像が一覧表示されるが、補正後の縮小画像データは、補正後の主画像を表す主画像データから生成されるものである。
　
６．補正後の縮小画像の表示について
　上記５．にて検討したとおり、刊行物１の縮小画像表示制御装置は、画像が補正されると、補正された主画像に対応して、補正後の縮小画像データから縮小画像が一覧表示されるものである。
　
７．まとめ
　以上まとめると、刊行物１に記載された発明（以下「刊行物１発明」という。）として、以下のとおりのものを認定することができる。
　
　被写体を撮像した被写体像を表す主画像データによって表される主画像を縮小した縮小画像を表示装置の表示画面に一覧表示させる縮小画像表示制御装置に関する発明であって、
　縮小画像表示制御装置は画像ファイルに含まれる「主画像データ」と「縮小画像データ」とを補正する画像補正装置でもあり、
　画像ファイルの中の縮小画像データを補正して得た縮小画像データを用いて、複数の縮小画像をモニタ表示装置に一覧で表示し、
　縮小画像が一覧で表示された状態で、補正すべき主画像に対応する縮小画像上をユーザがタッチすると、「ズーム／明るさ」ボタンが現れ、「ズーム／明るさ」ボタン84がタッチされることにより、タッチされた縮小画像に対応する主画像のズーム量および明るさ補正を調整するためのズーム／明るさ補正画像が表示され、ユーザがズーム／明るさ補正画像の各領域をタッチすることにより補正指令を与え、その指令に応じた補正処理が主画像データについて行われ、
　補正された主画像に対応して、補正後の縮小画像が表示されるが、補正後の縮小画像データは、補正後の主画像を表す主画像データから生成され、
　画像が補正されると、補正された主画像に対応して、補正後の縮小画像データから縮小画像が一覧表示される縮小画像表示制御装置。
　
【第５】対比
　本願発明と刊行物１発明とを対比する。
　
１．「所定の解像度の画像を示す主データと、この主データよりも低い解像度の前記画像を示す副データとを有する画像データを編集するための画像編集装置」について
　
　刊行物１発明の「主画像データ」は、画像データであるから、所定の解像度の画像を示す画像データであることは明らかであるから、本願発明の「主データ」と一致する。
　また、刊行物１の「縮小画像データ」は、縮小画像データから縮小画像が表示されるのであるから、縮小画像を表示するためのデータである。当該技術分野において、「主画像を縮小した縮小画像」は「主画像」よりも解像度が低い画像であることは当たり前のことであるから、縮小画像データは主画像よりも解像度が低い画像を表示するためのデータである。すなわち、「縮小画像データ」は主画像データよりも低い解像度の画像を示す画像データであるといえ、本願発明の「副データ」と一致する。
　さらに、「主画像データ」、「縮小画像データ」は画像ファイルに含まれるものであるから、刊行物１発明の「画像ファイル」は、「主画像データ」と「縮小画像データ」とを有する「画像ファイル」といえ、「画像ファイルに含まれる「主画像データ」と「縮小画像データ」とを補正する画像補正装置」は、画像ファイルを補正しているということができる。
　すなわち、「画像ファイルに含まれる「主画像データ」と「縮小画像データ」とを補正する画像補正装置」は、「「主画像データ」と「縮小画像データ」とを有する「画像ファイル」を補正する画像補正装置」ということができる。
　そして、発明の詳細な説明を参酌すれば、刊行物１発明の画像補正には「たとえば，拡大，縮小，位置調整，回転などトリミング処理が行われた場合には，トリミング補正されたことを示すマークが表示される。ズーム量および明るさ調整以外の補正が行われる場合には，その補正に応じたマークが表示される。たとえば，色補正，濃度補正，シャープネス補正などが可能であれば，それらの補正に応じたマーク85が表示されることとなる。」（【０１００】）に例示されるような補正が含まれることが理解できる。
　これに対して、本願発明の「画像編集」は、本願明細書【０００２】を参酌すると、「選択された画像データに対して回転処理や色調整などの編集を行う。」とあるように、「回転処理」や「色調整」のことをいうものであり、刊行物１発明と処理の内容は変わりがない。また、画像（データ）に対して「回転処理」や「色調整」を行うことを、「画像補正」、「画像編集」などということは当業者には周知のことであるから、刊行物１発明の「画像補正装置」は、本願発明の「画像編集装置」と相違がない。
　以上のことから、刊行物１発明は、「所定の解像度の画像を示す主データと、この主データよりも低い解像度の前記画像を示す副データとを有する画像データを編集するための画像編集装置」である点で、本願発明と相違がない。
　
２．「複数の前記画像データの前記副データに基づいて、複数の画像を表示するインデックス画面を表示し」について
　
　刊行物１発明は「画像ファイルの中の縮小画像データを補正して得た縮小画像データを用いて、複数の縮小画像を一覧で表示」するものである。
　刊行物１発明において、複数の縮小画像を一覧で表示するためには、複数の画像ファイル中の縮小画像をそれぞれ補正して、複数の縮小画像を得る必要があることは明らかである。そして、刊行物１では上記補正という過程があるとしても、上記縮小画像は複数の画像ファイル中の縮小画像データに基づいて一覧表示のための縮小画像を得ていることに変わりがない。
　また、複数の画像ファイルそれぞれの縮小画像をモニタ表示装置に一覧表示した（モニタの）画面をインデックス画面というから、刊行物１発明の複数の縮小画面を表示した画面は、インデックス画面ということができる。
　以上のことから見て、刊行物１発明は「複数の前記画像データの前記副データに基づいて、複数の画像を表示するインデックス画面を表示し」ている点で、本願発明と相違がない。
　
３．「前記インデックス画面に表示された前記複数の画像のいずれかが選択された場合、選択された前記画像に対応する前記画像データが編集可能になり」について
　
　刊行物１発明の「縮小画像が一覧で表示された状態」は、インデックス表示がモニタ表示装置になされた状態ということができることは、上記２．のとおりである。すなわち、モニタ表示装置の画面にインデックス画面が表示された状態である。
　そのような状態で、（複数表示された縮小画像のうち）補正すべき主画像に対応する縮小画像上をユーザがタッチし（すなわち、補正すべき画像の選択を行い）、さらに、ユーザが「ズーム／明るさ」ボタンにタッチすると補正が可能となるものである。
　一方、本願発明の「前記インデックス画面に表示された前記複数の画像のいずれかが選択された場合、選択された前記画像に対応する前記画像データが編集可能になり」について、発明の詳細な説明を参酌すると、【００２２】には「（Ｓ１０４）次に、ユーザーは、インデックス画面に表示された複数の画像の中から、編集を希望する画像を選択する。画像の選択は、ユーザーがキーボード１６Ａを操作して番号を入力することにより、若しくはユーザーがマウス１６Ｂを操作して画像が表示されている領域をクリックすることにより、行われる。画像が選択されると、コンピュータ本体１２は、選択された画像をはめ込んでいるフレームの色や太さを変化させて、表示装置１４上に表示する。これにより、ユーザーは、選択された画像がどの画像であるかを容易に把握することができる。そして、ユーザーが画像を選択した後、「編集ボタン」を押すことにより、選択された画像に対応する画像データを編集する動作が開始される。」と記載されており、(編集したい)画像の選択をし、更に「編集ボタン」を押すことにより編集が可能となることも含んでいる。
　してみると、刊行物１発明の、縮小画像が一覧で表示された状態で、補正すべき画像の選択を行い、更に「ズーム／明るさ」ボタンにタッチすることにより補正が可能となる構成は、本願発明と相違がないといえる。
　よって、刊行物１発明は「前記インデックス画面に表示された前記複数の画像のいずれかが選択された場合、選択された前記画像に対応する前記画像データが編集可能になり」の点で本願発明と相違がない。　
　
４．「前記画像データが編集された場合、編集された前記画像データの前記主データよりも解像度の低い修正データを、編集された前記画像データの前記主データを用いて作成し」について
　
　刊行物１発明において、主画像と縮小画像をあわせて画像ファイルと称していることは前記のとおりである。すなわち、主画像を補正するということは、画像ファイルも補正されているということができる。
　刊行物１発明の「
補正された主画像に対応して
補正後の縮小画像データは
補正後の主画像を表す主画像データから生成
　そして、主画像を補正すると主画像と縮小画像を含む画像ファイルが補正されているということもできるから、「補正後の主画像に対応して、補正後の縮小画像データを、補正後の主画像データから生成し」とは「（画像ファイルが補正されると）補正された画像ファイルの主画像データよりも解像度の低い（補正後の）縮小画像データを、補正後の画像ファイルの主画像データから生成し」といいうるものである。
　そして、刊行物１発明の「補正後の縮小画像データ」は、本願発明の「主データよりも解像度の低い修正データ」に対応することはあきらかである。
　また、刊行物１発明の「画像ファイル」、「主画像（データ）」、「補正」は、それぞれ、本願発明の「画像データ」、「主データ」、「編集」に対応することは、上記の【第５】１．のとおりである。
　以上のことから見て、刊行物１発明は「前記画像データが編集された場合、編集された前記画像データの前記主データよりも解像度の低い修正データを、編集された前記画像データの前記主データを用いて作成し」の点で、本願発明と相違がない。
　
５．「前記画像データが編集された後に前記インデックス画面を表示する際に、編集されていない前記画像データについては前記副データに基づいて前記画像を表示し、編集された前記画像データについては前記修正データに基づいて前記画像を表示する
ことを特徴とする画像編集装置」について
　
　刊行物１発明は「画像が補正されると、補正された主画像に対応して、補正後の縮小画像データから縮小画像が一覧表示される縮小画像表示制御装置」である。
　刊行物１発明の「縮小画像表示制御装置」は、「画像補正装置」でもあることは、前記のとおりである。
　刊行物１において、主画像が補正されるということは、主画像を含む画像ファイルを補正していることに相当することは、前記【第５】４．のとおりである。
　すなわち、刊行物１発明は「画像ファイルが補正されると、（画像ファイルが補正された後に）縮小画像が一覧表示される際、補正された主画像に対応して補正後の縮小画像データから縮小画像が一覧表示される画像補正装置」と言い換えることができる。
　また、刊行物１発明の「補正」、「画像ファイル」、「主画像データ」、「縮小画像の一覧表示」、「補正後の縮小画像データ」は、本願発明の「編集」、「画像データ」、「主データ」、「インデックス（画面）表示」、「修正データ」に相当することは、前記のとおりである。
　以上のことから見て、刊行物１発明は「画像データが編集された後にインデックス画面を表示する際に、編集された画像データについては修正データに基づいて画面を表示する画像編集装置」である点で、本願発明と相違がない。
　もっとも、本願発明では「画像データが編集された後に前記インデックス画面を表示する際に、編集されていない前記画像データについては前記副データに基づいて前記画像を表示」するのに対し、刊行物１発明では、編集されていない画像データのインデックス画面表示に関する構成を有しているか明らかでない点で相違する。
　
６．「前記画像データは、前記画像に関する付属データを更に有し、
　前記画像データの編集は、前記付属データを編集することによって行われることを特徴とする画像編集装置」について
　
　刊行物１発明は、画像編集装置である点については、本願発明と相違がないことは上記のとおりである。
　しかし、刊行物１発明は付属データ及び付属データを編集することによる画像データの編集に関する構成を有していない。
　したがって、刊行物１発明は「画像編集装置」である点で本願発明と一致するものの、
　本願発明では、「画像編集装置」が
「前記画像データは、前記画像に関する付属データを更に有し、
　前記画像データの編集は、前記付属データを編集することによって行われる」
のに対し、
刊行物１発明では、「画像編集装置」が、
「前記画像データは、前記画像に関する付属データを更に有し、
　前記画像データの編集は、前記付属データを編集することによって行われる」
とはしない点で相違する。
　
【第６】一致点・相違点
　本願発明と刊行物１発明との上記対比によれば、本願発明と刊行物１発明とは、
　
《一致点》
「所定の解像度の画像を示す主データと、この主データよりも低い解像度の前記画像を示す副データとを有する画像データを編集するための画像編集装置であって、
　複数の前記画像データの前記副データに基づいて、複数の画像を表示するインデックス画面を表示し、
　前記インデックス画面に表示された前記複数の画像のいずれかが選択された場合、選択された前記画像に対応する前記画像データが編集可能になり、
　前記画像データが編集された場合、編集された前記画像データの前記主データよりも解像度の低い修正データを、編集された前記画像データの前記主データを用いて作成し、
　前記画像データが編集された後に前記インデックス画面を表示する際に、編集された前記画像データについては前記修正データに基づいて前記画像を表示する
ことを特徴とする画像編集装置」
の点で一致し、以下の相違点で相違する。
　
《相違点》
相違点１
本願発明では「画像データが編集された後に前記インデックス画面を表示する際に、編集されていない前記画像データについては前記副データに基づいて前記画像を表示」するのに対し、刊行物１発明では、編集されていない画像データのインデックス画面表示に関する構成を有しているか明らかでない点。
　
相違点２
　本願発明では、「画像編集装置」が
「前記画像データは、前記画像に関する付属データを更に有し、
　前記画像データの編集は、前記付属データを編集することによって行われる」
のに対し、
刊行物１発明では、「画像編集装置」が、
「前記画像データは、前記画像に関する付属データを更に有し、
　前記画像データの編集は、前記付属データを編集することによって行われる」
とはしない点。
  　
【第７】判断
１．相違点１について
　
　刊行物１には以下の記載がある。
　
【０００２】
【発明の背景】
・・・・・・・・・・
【０００８】さらに，縮小画像を一覧表示しておき，縮小画像に一覧表示されている縮小画像に対応する主画像を補正した場合，補正した主画像に対応する縮小画像は，元の主画像が補正されたにもかかわらず，補正前の主画像に対応する縮小画像が表示されることがある。
　
【０１０１】主画像が補正された場合には，主画像と同じように対応するサムネイル画像を補正して表示するので，どのように補正されたかを確認することが比較的容易となる。また，補正内容を示すマーク85が補正された主画像に対応するサムネイル画像の下に表示されるので，補正したことおよびその補正内容を忘れてしまうのを未然に防止することができる。
　
　すなわち、主画像に対応する縮小画像を一覧表示するに際して、従来、主画像の補正前と補正後とで縮小画像の一覧表示が変更されないものであったが、刊行物１のものにおいては、主画像が補正されれば、当該補正に対応して、一覧表示された縮小画像も補正されて表示されることが特長であるというものである。
　上記背景となる技術を前提とするならば、主画像の補正前と補正後とで一覧表示の縮小画像が変更されない技術がまず前提としてあり、刊行物１のものにおいては、一覧表示された縮小画像のうち、主画像が補正された縮小画像のみが主画像の補正に対応して変更される、すなわち、主画像が補正されない縮小画像はその表示に変更がないととらえるのが普通である。
　そして、【００７８】ないし【００９９】及び図５ないし図９の記載を見ると、補正前の縮小画像一覧（図６）においてＮｏ．１の画像を選択し、図７、図８のズーム／明るさ補正画像にて、上記選択したＮｏ．１の主画像データについてズーム／明るさ補正を行い、図８にて決定領域１０５がタッチされると、ズーム／明るさ補正画像に変わって、図９に示す縮小画像一覧画像がモニタ表示装置５の表示画面上に表示される動作を行うものであることが理解できる。当該説明において、ズーム／明るさ補正前の一覧表示画面を表すのが図６、ズーム／明るさ補正後の一覧表示画面を表すのが図９である。図６と図９とを見比べれば、ともに、Ｎｏ．１ないしＮｏ．８の縮小画像が一覧表示されており、画像が補正されたＮｏ．１の縮小画像の下に「明るさ補正済」の表示がなされた以外に表示が変更されているとは認められず、また、Ｎｏ．２ないしＮｏ．８の画像については、この例では補正がされていないのであるから、補正がされていないＮｏ．２ないしＮｏ．８の縮小画像については、図６と図９とで同じ縮小画像を表示しているととらえるの普通であり、その場合は図９において、図６で表示している縮小画像のデータと同じ縮小画像データを用いて縮小画像を表示することが普通である。
　以上まとめると、刊行物１の上記の例において、Ｎｏ．１の画像が補正された後に一覧表示を表示する際に、補正されていないＮｏ．２ないしＮｏ．８の画像については、（Ｎｏ．１の画像の）補正前のＮｏ．２ないしＮｏ．８の縮小画像データに基づいて一覧表示をしているととらえることができる。
　してみると、刊行物１には、上記相違点１に係る構成である『「前記画像データが編集された後に前記インデックス画面を表示する際に、編集されていない前記画像データについては前記副データに基づいて前記画像を表示」する構成』について直接的記載はないが、刊行物１に記載された技術の背景（【０００８】）および【００７８】ないし【０１０１】の記載を見れば、当該構成は当業者が容易に想起し得たことである。
　
２．相違点２について
　
　上記相違点２について、当審が通知した拒絶理由通知書（平成２２年　９月１５日付（起案日））に記載した引用文献２（特開２００１−５６８６７号公報、以下、刊行物２という。）には、以下のとおりの記載がある。
　
【０００１】
【発明の属する技術分野】本発明は、画像データを適宜修整して利用可能な画像データ処理装置、画像データセットを記録した媒体、画像データ処理プログラムを記録した媒体および画像データ処理方法に関する。
【０００２】
【従来の技術】近年、デジタルスチルカメラが急速に利用されはじめている。ディジタルスチルカメラで撮影した場合、画像をデータとして管理できるようになり、修整などが簡単に行われるようになっている。例えば、画像が暗く写った場合に明るく修整するとか、空の色をより青くして美しくさせるということも、画像データであれば容易に行える。
【０００３】このような処理は画像処理として広く利用されているが、入力される画像データに処理を施せば新たな画像データとなり、これが元の記憶領域に上書きされていくことになる。
【０００４】
【発明が解決しようとする課題】上述した従来の画像データ処理装置においては、次のような課題があった。まず、オリジナルの画像データが変更されてしまうが、オリジナルの画像データを重視するものにとっては利用しがたい。むろん、オリジナルの画像データを保存しておいた上で別名で保存するといった処理を行うことも可能であるが、煩雑であるし、必要な記憶領域が増えてしまう。また、そのような場合のオリジナルと修整後の画像データを個別に管理していくこと自体も極めて煩雑である。
【０００５】また、ある種の画像フォーマットにおいては書き換えを行うたびに画質が劣化していくものもあるため、この意味ではたとえ修整がわずかであっても画質は劣化してしまう。本発明は、上記課題にかんがみてなされたもので、画像データのオリジナル性を確保しながらも、容易に画像処理した結果を参照することが可能な画像データ処理装置、画像データセットを記録した媒体、画像データ処理プログラムを記録した媒体および画像データ処理方法の提供を目的とする。
【０００６】
【課題を解決するための手段】上記目的を達成するため、請求項１にかかる発明は、画像データに実施する所定の画像処理の内容を表すパラメータを設定するパラメータ設定手段と、上記画像データと上記パラメータとを関連付け情報とともに保存するデータ保存手段と、上記関連付け情報を参照して上記画像データと上記パラメータを取得するデータ取得手段と、取得された上記画像データと上記パラメータとに基づいて上記指定される画像処理を施した画像データを得る画像処理再現手段とを具備する構成としてある。
【０００７】また、請求項２にかかる発明は、画像データに実施する所定の画像処理の内容を表すパラメータを設定するパラメータ設定手段と、上記画像データと上記パラメータとを関連付け情報とともに保存するデータ保存手段とを具備する構成としてあるとともに、請求項３にかかる発明は、画像データに実施する所定の画像処理の内容を表すパラメータと同画像データとが相互の関連付け情報とともに保存されており、上記関連付け情報を参照して上記画像データと上記パラメータを取得するデータ取得手段と、取得された上記画像データと上記パラメータとに基づいて上記指定される画像処理を施した画像データを得る画像処理再現手段とを具備する構成としてある。
【０００８】上記のように構成した請求項１にかかる発明においては、パラメータ設定手段にて画像データに実施する所定の画像処理の内容を表すパラメータを設定すると、データ保存手段は上記画像データと上記パラメータとを関連付け情報とともに保存する。そして、データ取得手段にて上記関連付け情報を参照して上記画像データと上記パラメータを取得すると、画像処理再現手段は取得された上記画像データと上記パラメータとに基づいて上記指定される画像処理を施した画像データを得る。
【０００９】すなわち、画像データに関連づけて画像処理内容を表すパラメータを記憶する。例えば、画像処理した場合でも元の画像データを変更せずにパラメータとして管理するようにし、必要なときにパラメータに基づいて画像処理した画像データを得る。そして、このような画像処理した結果を利用可能としながらも元の画像データはそのままにしておくことになる。請求項２にかかる発明や請求項３にかかる発明は、この発明全体をそれぞれ部分的に実施している。
　
【００５０】画像入力部２０ｊは画像データの記憶領域がファイル編集部２０ｃによって既に登録されている場合に、画像処理や印刷処理の際に同画像データを読み込んでくる処理を行い、また、画像データとして各種のデータフォーマットが存在するのに対応し画像出力部２０ｋは形式を変換して出力するといった処理を実行する。次に、フィルムデータ管理部３０について説明する。図５は、本フィルムデータ管理部３０が管理する画像データである画像ファイル３０ａと、パラメータを含む写真データ３０ｂと、画像データのグループ化において利用するフィルムデータ３０ｃの管理構造をブロック図により示している。ここで、画像データはコンピュータシステム１０においてファイルとして扱われることにより、画像ファイルとして示しているし、パラメータはそれぞれの画像データに対応する各種の情報とともに写真データ３０ｂとして示している。また、フィルムデータ３０ｃは画像データをグループ化して管理するための情報であり、図６にはフィルムメタファとして示している。ここで写真データ３０ｂのデータベースは、コンピュータシステム１０上における書き換え可能な記憶領域に保存されるものとし、また、複数存在するフィルムメタファに関わらず一定の領域に保存される。むろん、物理的に複数のデータベースとすることは可能であるが、要は必ずしも画像データが現実に記憶されている媒体に形成される必要はないということである。
　
【００５４】さらに、写真データ３０ｂは修整情報と特徴情報と色合せ情報も備えている。上述したように本画像データ処理ソフトでは画像データの管理と画像の修整を行なうが、画像の修整によって元の画像データを直に変更してしまうのではなく、これらのパラメータによって修整する指針だけを修整情報として管理し、これに併せて特徴情報や色合わせ情報を管理できるようにしている。図７は修整情報を管理するための具体的な変数宣言例を示しており、トリミングに関する修整情報を表すトリミング開始Ｘ座標（ｍ＿ｘ１）とトリミング開始Ｙ座標（ｍ＿ｙ１）とトリミング終了Ｘ座標（ｍ＿ｘ２）とトリミング終了Ｙ座標（ｍ＿ｙ２）と、回転処理を実行する場合の回転角度（ｍ＿ｎＲｏｔａｔｉｏｎ）と、自動画像修整（ｍ＿ｎＡｐｆ）と、赤成分の強調度（ｍ＿ｎＲｅｄ）と、緑成分の強調度（ｍ＿ｎＧｒｅｅｎ）と、青成分の強調度（ｍ＿Ｂｌｕｅ）と、明るさ成分の強調度（ｍ＿ｎＢｒｉｇｈｔｎｅｓｓ）と、コントラストの強調度（ｍ＿ｎＣｏｎｔｒａｓｔ）とから構成されている。
【００５５】ここで、本画像データ処理ソフトで実行可能な画像処理、特に自動画像修整にについて説明する。自動画像修整において核となるのは図８に示す画像修整制御部４０であり、画像特徴抽出部４０ａが画像データに基づいて画像の特徴を抽出すると、修整情報作成部４０ｂが修整に必要なパラメータを作成し、修整指定部４０ｃは同パラメータを使って上述した画像処理部２０ｇに対して実際の処理を実行させることになる。
　
【０１３９】ところで、画像ファイル３０ａと写真データ３０ｂをリンクさせる手法は様々である。上の例では複数の画像ファイル３０ａに対して一組のデータベースファイルを形成するようにしているが、ファイル単位で分散させることも可能である。図４８は一つの画像ファイル「０６１６０００ｘ．ｊｐｇ」に対して上述した修整情報や特徴情報や色合せ情報等を含む一つのアトリビュートファイル「０６１６０００ｘ．ＡＴＢ」を写真データ３０ｂとして生成している。この場合、一つのパトローネに対して一つのディレクトリを生成し、各ディレクトリに画像ファイル３０ａ群とアトリビュートファイル３０ｄ群とが保存される。画像ファイル３０ａを扱うに際しては、まず、各ディレクトリ内のアトリビュートファイル３０ｄと画像ファイル３０ａとが一対一で対応しているか判断し、一致していればアトリビュートファイル３０ｄ内のサムネールデータを使用して簡易的な表示や各種の操作の処理を実行する。この場合、フィルムデータ３０ｃに書き込まれたディレクトリの存在場所と各画像ファイル３０ａの名称とによってアトリビュートファイル３０ｄが特定されるので、これらの情報が画像ファイル３０ａと修整情報とのリンクの情報を構成する。
【０１４０】また、データベースファイルを生成しない他の一例として、画像ファイル３０ａと写真データ３０ｂを一体化したファイルを生成することも可能である。図４９（ａ）はその場合のディレクトリ構造の一例を示しており、一つの画像ファイル「０６１６０００ｘ．ｊｐｇ」の存在を前提として写真データ３０ｂを含めた一つのファイル「０６１６０００ｘ．ＰＨＴ」を生成している。この場合は、画像ファイル３０ａが存在することを前提として写真データ３０ｂを付属させるような対応であるため、別ファイルとした場合のように対応が不一致となることはない。
【０１４１】また、修整処理のバージョンアップが予見されるし、その他予見できない変更に対応するためにも予備の情報が必要となる。図４９（ｂ）には修整処理のバージョンアップに対応して画像修整エンジンのバージョンを示す情報を含める例を示している。ここでは、画像ファイル「ｘｘｘｘ．ｊｐｇ」と写真データ「ｘｘｘｘ．ＡＴＢ」に加えて画像修整エンジンのバージョンを示す情報ファイル「ｘｘｘｘ．ＥＮＧ」とを一体化して一つの統合されたファイル「ｘｘｘｘ．ＰＨＴ」を生成している。
　
　上記刊行物２の記載（【０００１】ないし【０００５】）によれば、画像データを修整処理する画像データ処理装置においては、入力される画像データに処理を施せば新たな画像データとなり、
Ａ）処理を施した画像でそれ以前の画像データを上書きすると、オリジナルの画像データが変更されてしまうこと、
Ｂ）オリジナルの画像データを重視して、オリジナルの画像データを保存しておいた上で（修整後の画像データを）別名で保存することも可能であるが、そのような処理は、煩雑で、必要な記憶領域が増えてしまうこと、
Ｃ）ある種の画像フォーマットにおいては書き換えを行うたびに画質が劣化していくものもあるため、この意味ではたとえ修整がわずかであっても画質は劣化してしまうこと
の課題が存在し、刊行物２のものはそのような課題を解決するためになされた画像処理装置であることが理解できる。
　刊行物２の画像処理装置は、【０００６】の記載によれば、上記課題を解決するため、
「画像データに実施する所定の画像処理の内容を表すパラメータを設定するパラメータ設定手段と、
上記画像データと上記パラメータとを関連付け情報とともに保存するデータ保存手段と、
上記関連付け情報を参照して上記画像データと上記パラメータを取得するデータ取得手段と、
取得された上記画像データと上記パラメータとに基づいて上記指定される画像処理を施した画像データを得る画像処理再現手段」
とを有している。
　そして、刊行物２の画像処理装置では、【０００８】、【０００９】の記載を参酌すると、
「画像データと画像処理の内容を表すパラメータとを関連付け情報とともに記憶し、
画像データに実施する所定の画像処理の内容を表すパラメータを設定し、
画像処理した場合でも元の画像データを変更せずにパラメータとして管理するようにし、必要なときにパラメータに基づいて画像処理した画像データを得る」
というものであるから、
画像データは画像に関連付けられたパラメータを更に有し、
画像データの処理はパラメータの設定によって行われる画像処理装置であるといえる。
　
　上記画像処理装置において、【０１３９】ないし【０１４１】の記載を見ると、
「画像ファイル３０ａと写真データ３０ｂをリンクさせる手法は様々である。上の例では複数の画像ファイル３０ａに対して一組のデータベースファイルを形成するようにしているが、ファイル単位で分散させることも可能である。」と記載され、以下のア）ないしウ）のファイル単位で分散させた例が記載されている。
ア）図４８は一つの画像ファイル「０６１６０００ｘ．ｊｐｇ」に対して上述した修整情報や特徴情報や色合せ情報等を含む一つのアトリビュートファイル「０６１６０００ｘ．ＡＴＢ」を写真データ３０ｂとして生成している。この場合、一つのパトローネに対して一つのディレクトリを生成し、各ディレクトリに画像ファイル３０ａ群とアトリビュートファイル３０ｄ群とが保存される。画像ファイル３０ａを扱うに際しては、まず、各ディレクトリ内のアトリビュートファイル３０ｄと画像ファイル３０ａとが一対一で対応しているか判断し、一致していればアトリビュートファイル３０ｄ内のサムネールデータを使用して簡易的な表示や各種の操作の処理を実行する。
イ）データベースファイルを生成しない他の一例として、画像ファイル３０ａと写真データ３０ｂを一体化したファイルを生成することも可能である。図４９（ａ）はその場合のディレクトリ構造の一例を示しており、一つの画像ファイル「０６１６０００ｘ．ｊｐｇ」の存在を前提として写真データ３０ｂを含めた一つのファイル「０６１６０００ｘ．ＰＨＴ」を生成している。この場合は、画像ファイル３０ａが存在することを前提として写真データ３０ｂを付属させるような対応であるため、別ファイルとした場合のように対応が不一致となることはない。
ウ）図４９（ｂ）には修整処理のバージョンアップに対応して画像修整エンジンのバージョンを示す情報を含める例を示している。ここでは、画像ファイル「ｘｘｘｘ．ｊｐｇ」と写真データ「ｘｘｘｘ．ＡＴＢ」に加えて画像修整エンジンのバージョンを示す情報ファイル「ｘｘｘｘ．ＥＮＧ」とを一体化して一つの統合されたファイル「ｘｘｘｘ．ＰＨＴ」を生成している。
　なお、上記【０１３９】ないし【０１４１】の説明における、画像ファイル３０ａは、「一つの画像ファイル「０６１６０００ｘ．
ｊｐｇ
　また、写真データ３０ｂについては、【００５０】に「パラメータを含む写真データ３０ｂ」、「パラメータはそれぞれの画像データに対応する各種の情報とともに写真データ３０ｂとして示している」と記載されている。そして、写真データ３０ｂに「サムネイル」、「修整情報」が含まれることは、図５の記載から明らかである。さらに、【００５４】、【００５５】の記載を見れば、修整情報が（オリジナルの）画像データの修整に必要なパラメータであることが理解できる。以上のことから見て、写真データ３０ｂは画像を表すデータである画像ファイルを修整するためのデータを含むものである。
　そして、刊行物２の上記イ）の例では、「画像ファイル３０ａ」と「写真データ３０ｂ」を一体化したファイル（以下、「一体化ファイル」という。）としているのであるから、画像ファイル３０ａと、写真データ３０ｂに含まれる（画像ファイルを修整するための）修整情報と（サムネイルと）が一体化されたものといえる。そして、一体化ファイルは、「画像ファイル３０ａが存在することを前提として
写真データ３０ｂを付属させる
　以上まとめると、刊行物２の画像処理は、『「一体化ファイル」は「画像ファイル３０ａ」により表示される画像に関する付属データを有し、一体化ファイルの修整は「付属データ」を修整することにより行われる』（画像処理である）ということができる。
　上記刊行物２の画像ファイルは（オリジナルの）画像を表すデータであるから、本願発明の主データと相違がない。
　また、刊行物２の「修整情報」は【００５４】の記載によれば「トリミングに関する修整情報」、「
回転処理
赤成分の強調
緑成分の強調
青成分の強調
回転処理
色調整
　してみると、刊行物２の編集情報と本願発明の付属データとは相違がない。
　そして、刊行物２の「一体化ファイル」は、上記画像ファイルと編集情報とが一体化したファイルであるから、本願発明の「画像データ」と相違がない。
　これらのことからみて、刊行物２には「画像データは、画像に関する付属データを更に有し、前記画像データの編集は、前記付属データを編集することによって行われる」ことが記載されている。
　そして、刊行物１発明及び刊行物２に記載された技術事項は、ともに画像の編集に関する技術であり、刊行物１発明を実施する際に、オリジナル画像を編集すれば、編集後はオリジナル画像が失われてしまうこと、上記オリジナル画像が失われることを防ぐためには、編集のたびに異なる画像データとして記憶しなくてはならないという課題が存在することは当業者が当然予測しうることであり、上記課題を解決するために刊行物２に記載された技術事項を採用することは、当業者が容易に想到し得たことである。
　
　また、審判請求人は、当審が通知した拒絶理由通知書に対する意見書にて、以下のとおり主張している。
『（３−３）本願発明の容易想到性についての検討
　新請求項１によれば、「画像データ」は、主データと副データとを有するとともに、「前記画像（主データの示す所定の解像度の画像の意味）に関する付属データ」を更に有します。つまり、新請求項１の「画像データ」は、主データ、副データおよび付属データから構成されています。
（なお、本願明細書の段落【００１６】や図３を参酌しても、「画像データ」は、主データ、副データおよび付属データから構成されています。）
    　
　これに対し、引用文献２の図１では「画像データ記憶領域Ａ１１」と「パラメータ記憶領域Ａ１２」とが別々になっていることから理解できる通り、引用文献２ではパラメータは画像データに付属していません。
　また、引用文献２の段落【００２８】に「関連づけ情報記憶領域Ａ１３はパラメータ記憶領域Ａ１２に記憶されるパラメータと画像データ記憶領域Ａ１１に記憶される画像データとを関連づける関連づけ情報が記憶される。」と記載されている通り、引用文献２では「画像データ」と「パラメータ」とが別々になっていることを前提構成としています。
　そもそも、引用文献２では「必要な記憶領域が増えてしまう」ことを課題としており（引用文献２の段落【０００４】参照）、この課題を解決するためにはパラメータを画像データから切り離すはずであり、引用文献２ではパラメータを画像データに付属させることは到底考えられません。
　このため、引用文献２には、補正後の請求項１の構成に当業者が到達するためにしたはずであるという示唆等は全く存在しません。
  　
　また、仮に画像データにパラメータを付属させること自体を当業者が導き出せたとしても、そのことだけをもってして、補正後の請求項１に係る構成に到達するためにしたはずであるという示唆等が存在しているとまでは言えません。（拒絶理由通知書においても、引用文献からどのように当業者が本願発明に到達したかについての説示はありません。）
　
　したがって、補正後の請求項１に係る発明は、引用文献に記載された発明に基づいて当業者が容易に発明をすることができたものではありません。同様の理由により、他の請求項に係る発明も、引用文献に記載された発明に基づいて当業者が容易に発明をすることができたものではありません。』
　
　すなわち、上記意見書では、刊行物２の実施例は「パラメータは画像データに
付属していない
　しかしながら、刊行物２には、上記検討したとおり、「パラメータが画像データに
付属した実施例
付属していない
　また、刊行物２における「必要な記憶領域が増えてしまう」という課題は、「オリジナルの画像データ」と「修整後の画像データ」とを個別に記憶（すなわち、二つの画像データを記憶しなくてはならない。）することから生じる課題であり、「オリジナルの画像データ」と別個に記憶する修整後のデータとして、「修整後の画像データ」の代わりに「画像データと比べると比較的容量は小さい」（刊行物２段落【００２８】）パラメータを用いることにより、「必要な記憶領域が増えてしまう」という課題を解決しているのであるから、上記課題についての主張も採用することはできない。
  　
　以上のとおり、上記相違点１、相違点２に係る構成は、いずれも当業者が容易に想到しえたことである。
　
〈効果等について〉  
　以上のように、相違点にかかる構成は当業者が容易に想到できたものである。そして、本願発明の構成は、上記のように当業者が容易に想到できたものであるところ、本願発明が奏する効果は、その容易想到である構成から当業者が容易に予測しうる範囲内のものであり、同範囲を超える顕著なものでもない。  
　
【第８】まとめ
　したがって、本願発明は、刊行物１に記載された発明及び刊行物２に記載された技術事項に基づいて当業者が容易に発明をすることができたものであるから、特許法第２９条第２項の規定により特許を受けることができない。
　
　よって、本願は請求項２ないし５に係る発明について特に検討するまでもなく拒絶されるべきものである。 
　
　よって、結論のとおり審決する。